(57)【要約】      （修正有）【課題】振動等による電飾ユニットの破損を防止することができ、また電飾ユニットを取り付ける際の作業性の向上を図ることができる遊技機を提供する。【解決手段】遊技機枠体に取り付けられた遊技盤に取り付けられる表示装置３２を備え、この表示装置３２の周縁部の一部に電飾効果を施す第１電飾ユニット３３（表示装置用電飾ユニット）が設けられた遊技機。第１電飾ユニット３３は、回路パターンが設けられた電飾基板６２と、電飾基板６２に実装された電飾部品６４（例えば、ＬＥＤ）とを備え、電飾基板６２及び電飾部品６４が合成樹脂でモールドされている。第１電飾ユニット３３は、電飾基板６２を載置支持するための支持部材を含み、支持部材、電飾基板６２及び電飾部品６４が一体的となるように合成樹脂でモールドされる。【選択図】図３
2014124313.tif 000002
【特許請求の範囲】
【請求項１】
遊技機枠体と、前記遊技機枠体に取り付けられた遊技盤と、前記遊技盤に取り付けられた表示装置と、電飾効果を得るための電飾ユニットと、を備えた遊技機であって、
前記電飾ユニットは、回路パターンが設けられた電飾基板と、前記電飾基板に実装された電飾部品とを備え、前記電飾基板及び前記電飾部品が合成樹脂でモールドされていることを特徴とする遊技機。
【請求項２】
前記電飾ユニットは、間隔をおいて配設された一対の支持部及び前記一対の支持部を接続する接続載置部を有する支持部材を含んでおり、前記支持部材の前記接続載置部に前記電飾基板を載置した状態で、前記支持部材、前記電飾基板及び前記電飾部品が一体的となるように合成樹脂でモールドされることを特徴とする請求項１に記載の遊技機。
【請求項３】
前記電飾ユニットは、前記表示装置の周囲の一部に電飾効果を付与するための第１電飾ユニットであることを特徴とする請求項１又は２に記載の遊技機。
【請求項４】
前記表示装置の裏面側部には取付案内凸状が設けられ、前記第１電飾ユニットには、前記取付案内凸状に対応して案内凹状が設けられており、前記案内凹状に前記取付案内凸状を受け入れた状態にて前記取付案内凸状の長手方向に移動させることにより、前記第１電飾ユニットが前記表示装置の側部に装着されることを特徴とする請求項３に記載の遊技機。
【請求項５】
前記電飾ユニットは、前記遊技盤の外周部の少なくとも一部に電飾効果を付与するための第２電飾ユニットであることを特徴とする請求項１又は２に記載の遊技機。
【請求項６】
前記第２電飾ユニットには周方向に間隔をおいて複数の係合部材が設けられ、前記複数の係合部材は径方向外方に延び、それらの先端部に係合爪部が設けられており、前記遊技盤の前面側から後方に押圧して前記複数の係合部材の前記係合爪部を前記遊技盤の外周部に係合させることにより、前記第２電飾ユニットが前記遊技盤の外周部に装着されることを特徴とする請求項５に記載の遊技機。
【発明の詳細な説明】
【技術分野】
【０００１】
本発明は、パチンコ遊技機等の遊技機に関する。
【背景技術】
【０００２】
パチンコ遊技機、回胴式遊技機等の遊技機は、遊技機枠体と、遊技機枠体に取り付けられた遊技盤と、遊技盤に取り付けられた表示装置とを備え、この表示装置の周囲の一部に電飾効果を得るための電飾ユニットが装着されている（例えば、特許文献１参照）。この電飾ユニットは、ＬＥＤ等の電飾部品と、電飾部品が実装された電飾基板を備えており、電飾部品は例えばハンダ等により電飾基板の回路パターンに電気的に接続され、電飾基板は例えば取付ねじ等により表示装置に取り付けられる。
【０００３】
この種の電飾ユニットは、遊技盤の周囲の少なくとも一部にも設けられ、この電飾ユニットも、上述したと略同様の構成を有し、ＬＥＤ等の電飾部品は例えばハンダ等により電飾基板の回路パターンに電気的に接続され、この電飾基板は例えば取付ねじ等により遊技盤の外周部に取り付けられる。
【先行技術文献】
【特許文献】
【０００４】
【特許文献１】特開２００４−２２９８１８号公報
【発明の概要】
【発明が解決しようとする課題】
【０００５】
しかしながら、従来の遊技機においては、電飾ユニットに関連して、次の通りの問題がある。第１に、電飾ユニットの電飾部品が単にハンダ等を用いて電飾基板に実装される構成である故に、輸送時に大きな振動などが加わると、この振動などにより電飾部品のハンダが外れて電飾ユニットが破損するおそれがある。第２に、電飾ユニットの電飾基板が取付ねじ等により表示装置（又は遊技盤）に取り付けられる構成である故に、その取付作業の作業性が悪く、その取付けに時間を要するという問題がある。
【０００６】
本発明の目的は、振動等による電飾ユニットの破損を防止することができる遊技機を提供することである。
【０００７】
また、本発明の他の目的は、電飾ユニットを取り付ける際の作業性の向上を図ることができる遊技機を提供することである。
【課題を解決するための手段】
【０００８】
本発明の請求項１に記載の遊技機においては、遊技機枠体と、前記遊技機枠体に取り付けられた遊技盤と、前記遊技盤に取り付けられた表示装置と、電飾効果を得るための電飾ユニットと、を備えた遊技機であって、
前記電飾ユニットは、回路パターンが設けられた電飾基板と、前記電飾基板に実装された電飾部品とを備え、前記電飾基板及び前記電飾部品が合成樹脂でモールドされていることを特徴とする。
【０００９】
また、本発明の請求項２に記載の遊技機においては、前記電飾ユニットは、間隔をおいて配設された一対の支持部及び前記一対の支持部を接続する接続載置部を有する支持部材を含んでおり、前記支持部材の前記接続載置部に前記電飾基板を載置した状態で、前記支持部材、前記電飾基板及び前記電飾部品が一体的となるように合成樹脂でモールドされることを特徴とする。
【００１０】
また、本発明の請求項３に記載の遊技機においては、前記電飾ユニットは、前記表示装置の周囲の一部に電飾効果を付与するための第１電飾ユニットであることを特徴とする。
【００１１】
また、本発明の請求項４に記載の遊技機においては、前記表示装置の裏面側部には取付案内凸状が設けられ、前記第１電飾ユニットには、前記取付案内凸状に対応して案内凹状が設けられており、前記案内凹状に前記取付案内凸状を受け入れた状態にて前記取付案内凸状の長手方向に移動させることにより、前記第１電飾ユニットが前記表示装置の側部に装着されることを特徴とする。
【００１２】
また、本発明の請求項５に記載の遊技機においては、前記電飾ユニットは、前記遊技盤の外周部の少なくとも一部に電飾効果を付与するための第２電飾ユニットであることを特徴とする。
【００１３】
更に、本発明の請求項６に記載の遊技機においては、前記第２電飾ユニットには周方向に間隔をおいて複数の係合部材が設けられ、前記複数の係合部材は径方向外方に延び、それらの先端部に係合爪部が設けられており、前記遊技盤の前面側から後方に押圧して前記複数の係合部材の前記係合爪部を前記遊技盤の外周部に係合させることにより、前記第２電飾ユニットが前記遊技盤の外周部に装着されることを特徴とする。
【発明の効果】
【００１４】
本発明の請求項１に記載の遊技機によれば、電飾ユニットの電飾基板及びこれに実装された電飾部品が合成樹脂でモールドされているので、電飾ユニットを容易に製作することができるとともに、その電気的絶縁を確実に行うことができる。また、輸送時等に振動が加わっても電飾基板に対して電飾部品が相対的に移動してハンダが外れることがなく、これによって、輸送時等における電飾ユニットの破損を防止することができる。
【００１５】
また、本発明の請求項２に記載の遊技機によれば、支持部材の接続載置部に電飾ユニットの電飾基板が載置され、この載置状態において支持部材、電飾基板及び電飾部品が一体的となるように合成樹脂でモールドされるので、電飾基板及び電飾部品を比較的簡単に樹脂モールドすることができる。
【００１６】
また、本発明の請求項３に記載の遊技機によれば、表示装置の周囲の一部に電飾効果を付与するための第１電飾ユニットに好都合に適用することができる。
【００１７】
また、本発明の請求項４に記載の遊技機によれば、表示装置の裏面側部に取付案内凸状が設けられ、第１電飾ユニットに案内凹状が設けられているので、この案内凹状に表示装置側の取付案内凸状を受け入れた状態にて取付案内凸状の長手方向に移動させることによって、第１電飾ユニットを表示装置の側部に簡単に且つ容易に装着することができる。
【００１８】
また、本発明の請求項５に記載の遊技機によれば、遊技盤の外周部の少なくとも一部に電飾効果を付与するための第２電飾ユニットに好都合に適用することができる。
【００１９】
更に、本発明の請求項６に記載の遊技機によれば、第２電飾ユニットには周方向に間隔をおいて複数の係合部材が設けられ、これら係合部材の各々に係合爪部が設けられているので、遊技盤の前面側から後方に押圧することによって、複数の係合部材の係合爪部が遊技盤の外周部に係合し、このようにして第２電飾ユニットを遊技盤に簡単に且つ容易に取り付けることができる。
【図面の簡単な説明】
【００２０】
【図１】本発明に従う遊技機の一実施形態を簡略的に示す正面図。
【図２】図１の遊技機を簡略的に示す背面図。
【図３】図１の遊技機の表示装置及びそれに関連する構成を一部分解して示す分解斜視図。
【図４】図３の表示装置に取り付ける第１電飾ユニットの第１電飾基板及び第１電飾部品を樹脂モールドする前の状態を示す斜視図。
【図５】図４の第１電飾ユニットを樹脂モールドする樹脂モールド工程を説明するための断面図。
【図６】図３の表示装置に第１電飾ユニットを取り付ける状態を示す斜視図。
【図７】図３の表示装置の外周側に配設される第２電飾ユニットを示す正面図。
【図８】図７の第２電飾ユニットの一部を拡大して示す部分拡大斜視図。
【発明を実施するための形態】
【００２１】
以下、添付図面を参照して、本発明に従う遊技機の一実施形態について説明する。まず、図１及び図２を参照して、遊技機の概要について説明する。図示の遊技機２は、遊技機枠体４及び遊技盤６を備え、この形態では、遊技機枠体４は外枠８、内枠１０及び前枠１２から構成されている。外枠８は、遊技機２の外郭部となる枠体であり、上下左右に配設される木枠材を矩形状に組み合わせて構成される。内枠１０は、外枠８に対して開閉可能に取り付けられており、この内枠１０に遊技盤６が前面側から嵌め込まれるようにして装着されている。前枠１２は、遊技盤６の前面（遊技盤面）を保護するためのものであり、内枠１０の前面側に開閉可能に装着されている。この前枠１２の略中央部には、円形状の開口窓１４が形成され、この開口窓１４の裏面にはガラス板が嵌め込まれており、遊技盤６の遊技盤面に形成された遊技領域１６は、これら開口窓１４及びガラス板を通じて前方から視認することができる。
【００２２】
前枠１２の上端部（具体的には、開口窓１４の上方）には、左右一対のスピーカ１８が設けられている。また、この前枠１２の下部（具体的には、開口窓１４の下方）には、遊技球を貯留するための上皿２０、演出の切替を行うための演出ボタン２２、獲得した残り遊技球数を表示するためのデジタル表示部２４、会員カード等を挿入するためのカード挿入口２６、遊技球を発射させるための発射ハンドル２８等が設けられている。遊技盤６の略中央には開口部３０が形成されており、かかる開口部３０に表示装置３２が挿入配置されている。この表示装置３２の周囲の一部には表示装置用の電飾ユニット３３（第１電飾ユニットを構成し、以下第１電飾ユニットと称する）が取り付けられ、またこの表示装置３２の外周側には遊技盤用の電飾ユニット３５（第２電飾ユニットを構成し、以下第２電飾ユニットと称する）が配設されている。第１及び第２電飾ユニット３３，３５については、後述する。
【００２３】
また、遊技機２の背面には、主制御基板ユニット３４、表示制御基板ユニット３６、払出制御基板ユニット３８及び電源基板ユニット４０が配設されている。主制御基板ユニット３４は、遊技状態の進行及び遊技球の払出しに係わる制御を行うためのものであり、表示制御基板ユニット３６は、表示装置３２における表示内容並びに第１及び第２電飾ユニット３３，３５の点滅を制御するためのものであり、また払出制御基板ユニット３８は、遊技球の払い出しを制御するためのものである。電源基板ユニット４０は、遊技機２の各部（例えば、主制御基板ユニット３４、表示制御基板ユニット３６、払出制御基板ユニット４０、表示装置３２、第１及び第２電飾ユニット３３，３５等）に電力を供給するためのものであり、これらの各種制御基板ユニット３４，３６，３８等と遊技機２の各部の電気・電子部品がコネクタケーブル４２（図２にそれらの一部を示す）で接続されている。
【００２４】
次に、図１とともに図３〜図６を参照して、図示の遊技機２の表示装置３２及びこれに取り付けられる第１電飾ユニット３３について説明する。図１及び図３において、図示の表示装置３２は、略五角形状（上部が三角形状で下部が四角形状）の表示装置本体４４を備え、その上部４６（三角形状部）に円形状の演出用ランプ４８が設けられ、その下部５０（四角形状部）に矩形状の表示部５２が設けられ、この表示部５２は、例えば液晶表示装置から構成される。この表示装置３２の演出用ランプ４８及び表示部５２は、上述した表示制御基板ユニット３６により制御される。
【００２５】
第１電飾ユニット３３は、この表示装置本体４４の下部５０の両側部から底部にわたって取り付けられている。この形態では、第１電飾ユニット３３は、左右２つのユニット、即ち第１及び第２ユニット５４，５６から構成され、第１及び第２ユニット５４，５６が左右対称に構成されており、以下、第１ユニット５４について説明する。
【００２６】
図４をも参照して、第１ユニット５４（第２ユニット５６）は略Ｌ字状であり、表示装置本体４４の下部５０の側部に取り付けられる垂直部５８と、その下部５０の底部に取り付けられる水平部６０とを有し、これら垂直部５８及び水平部６０が表示装置本体４４における下部５０の側部から底部にわたって配設されている（この形態では、第１ユニット５４の垂直部５８及び水平部６０は、表示装置本体４４の図３において左側の側部から底部の左半分にわたって設けられ、第２ユニット５６の垂直部５８及び水平部６０は、表示装置本体４４の図３において右側の側部から底部の右半分にわたって設けられる）。
【００２７】
第１ユニット５４（第２ユニット５６）は、回路パターン（図示せず）が設けられた電飾基板６２及びこの電飾基板６２に実装された電飾部品６４を備え、これら電飾部品６４が、発光する発光体、例えばＬＥＤ（赤色ＬＥＤ、青色ＬＥＤ、緑色ＬＥＤ等）から構成される。
【００２８】
この形態では、第１ユニット５４（第２ユニット５６）の垂直部５８には、その長手方向（即ち、上下方向）に間隔をおいて複数個の電飾基板６２が配設され、またその水平部６０にも、その長手方向（即ち、水平方向）に間隔をおいて複数の電飾基板６２が配設され、これら電飾基板６２がリード線６８により電気的に接続されている。各電飾基板６２には回路パターン（図示せず）が設けられ、この回路パターンに電飾部品６４が所望の電飾効果が得られるように間隔をおいて実装されている。
【００２９】
第１電飾ユニット３３（第１及び第２ユニット５４，５６）の電飾基板６２は、支持部材７０（図４、図５参照）に支持され、後述するようにして合成樹脂によりモールドされ、モールド層Ｍにより覆われている。支持部材７０は、間隔をおいて配設された一対の支持部７２，７４を有している。一対の支持部７２，７４は、細長いプレート状部材から構成され、これら支持部７２，７４間が接続載置部７６により接続されている。複数の電飾基板６２は、この支持部材７０の接続載置部７６に載置され、支持部材７０、電飾基板６２、電飾部品６４（例えば、ＬＥＤ）及びリード線６８が一体的となるように樹脂モールドされ、接続用リード線７８が第１ユニット５４（第２ユニット５６）から外側に延びている。このようにモールド層Ｍで覆うことにより、第１ユニット５４（第２ユニット５６）を比較的簡単に製作することができるとともに、その電気的絶縁を確保することができ、更に振動等によるハンダの外れ等を防止することができる。
【００３０】
この実施形態では、図３及び図６に示すように、第１ユニット５４（第２ユニット５６）の垂直部５８の内側部には略コ字状の案内部８０が設けられ、この案内部８０は外側（垂直部５８側）に開放された案内凹状８２を規定し、この案内凹状８２が垂直部５８の長手方向（上下方向）に直線状に延びている。また、表示装置本体４４の下部５０の裏面側部には、第１ユニット５４（第２ユニット５６）の案内凹状８２に対応して、内側（図６において右側）に突出する取付案内凸状８４が設けられている。
【００３１】
また、第１ユニット５４（第２ユニット５６）の垂直部５８の一端部には、その長手方向に延びる延長部８１が設けられ、この延長部８１の先端部に第１爪部８３が設けられ、その水平部６０には、内側に突出する内突出部８５が設けられ、この内突出部８５に第２爪部８７が設けられている。また、表示装置本体４４の側部側には、延長部８１の第１爪部８３に対応して第１取付突部（図示せず）が設けられ、また表示装置本体４４の底部側には、内突出部８５の第２爪部８７に対応して第２取付突部（図示せず）が設けられている。これら延長部８１（第１爪部８３を含む）及び内突出部８５（第２爪部８７を含む）は、第１ユニット５４（第２ユニット５６）のモールドの際に一体的に設けるようにするのが望ましい。
このように構成されているので、第１ユニット５４（第２ユニット５６）側の案内凹状８２内に表示装置本体４４側の取付案内凸状８４を位置付け、この取付案内凸状８４を案内凹状８２に受け入れた状態にて取付案内凸状８４の長手方向（即ち、表示装置本体４４の側部に沿って上方向）に相対的に移動させることによって、この第１ユニット５４（第２ユニット５６）を表示装置本体４４に簡単且つ容易に取り付けることができる。
【００３２】
このように取り付けた状態においては、第１ユニット５４（第２ユニット５６）の水平部６０が表示装置本体４４の下部５０の底面に当接し、その垂直部５８の電飾部品６４は、所要の通りに点滅することによって表示装置本体４４の側部に電飾効果を付与し、またその水平部６０の電飾部品６４は、所要の通りに点滅することによって表示装置本体４４の底部に電飾効果を付与する。また、この取付状態においては、第１ユニット５４（第２ユニット５６）の延長部８１の第１爪部８３が幾分弾性変形して表示装置本体４４側の第１取付突部（図示せず）に係止するとともに、それらの内突出部８５の第２爪部８７が幾分弾性変形して表示装置本体４４側の第２取付突部（図示せず）に係止し、このように係止することによって、表示装置本体４４からの第１ユニット５４（第２ユニット５６）の離脱を確実に防止することができる。
【００３３】
このような第１電飾ユニット３３の第１ユニット５４（第２ユニット５６）は、次のようにして製作することができる。図３とともに図４及び図５を参照して、この第１ユニット５４（第２ユニット５６）を製作するには、まず、電飾部品６４（例えば、ＬＥＤ）を所要の通りに実装した電飾基板６２を製作し、この電飾基板６２をリード線６８を介して電気的に接続し、このように接続した複数の電飾基板６２を支持部材７０の接続載置部７６に載置して図４に示す第１電飾組立体８８（第２電飾組立体）を製作する。このとき、各電飾基板６２の裏面側を両面テープ、接着剤などにより支持部材７０に仮固定するようにしてもよい。
【００３４】
そして、図５に示すように、一対のモールド用金型、即ち第１モールド用金型９０及び第２モールド用金型９２を用いて、製作した第１電飾組立体８８（第２電飾組立体）を合成樹脂によりモールドする。第１モールド用金型９０の上面には支持部材７０の形状（即ち、一対の支持部７２，７４間の形状）に対応した凹状部９４が設けられており、かかる凹状部９４が下側キャビティ９６を規定し、この凹状部９６の両側部に支持部材７０の一対の支持部７２，７４を位置付けることによって、第１電飾組立体８８（第２電飾組立体）が第１モールド用金型９０の所定位置に位置付けられる。また、第２モールド用金型９２の下面には、第１モールド用金型９０の上述した凹状部９４に対応する凹状部９８が設けられ、この凹状部９８が上側キャビティ１００を規定する。
【００３５】
この第１モールド用金型９０に対して第２モールド用金型９２を相対的に移動させて型締めを行った後に合成樹脂を注入して樹脂モールドを行う。第１及び第２モールド用金型９０，９２を型締めすると、図５に示す状態となり、第１モールド用金型９０の下側キャビティ９６と第２モールド用金型９２の上側キャビティ１００とが樹脂モールドのためのキャビティを構成する。この型締め状態において、第１及び第２モールド用金型９０，９２の下側キャビティ９６及び上側キャビティ１００に合成樹脂を注入して第１電飾組立体８８（換言すると、電飾基板６２、電飾部品６４及びリード線６８）（第２電飾組立体）を合成樹脂で覆ってモールドする。そして、注入した合成樹脂が冷却した後に第１及び第２モールド用金型９０，９２を開いて第１電飾組立体８８（即ち、第１ユニット５４）（第２電飾組立体）を取り出すと、図３に示す通りの第１ユニット５４（第２ユニット５６）ができあがる。尚、この樹脂モールドの際に垂直部５８の案内部８０、更には延長部８１及び内突出部８５を同時に一体的に形成するようにするのが望ましい。
【００３６】
この実施形態では、支持部材７０の一対の支持部７２，７４は、接続載置部７６から一端側（図５において下側）及び他端側（図５において上側）に延び、一対の支持部７２，７４間に合成樹脂を充填して接続載置部７６の下面側及び上面側を樹脂モールドしているが、このような構成に代えて、接続載置部７６の上面側の一対の支持部７２，７４の他端部間のみに合成樹脂を充填して電飾基板６２、電飾部品６４及びリード線６８を覆うように樹脂モールドしても同様の効果を達成することができる。
【００３７】
尚、支持部材７０の一対の支持部７２，７４は、接続載置部７６から一端側にのみ延びるように構成することもでき、この場合、支持部７２，７４は第１モールド用金型９０への位置付けとして機能し、接続載置部７６から上側は、その全体が樹脂モールドされてモールド層Ｍにより覆われる。
【００３８】
次に、表示装置３２の外周側に配設された第２電飾ユニット３５について説明する。図１とともに図７及び図８を参照して、この形態では、第２電飾ユニット３５はリング状であり、かかるリング状に沿って電飾組立体１０２の電飾基板１０４が配設されている。第２電飾ユニット３５の電飾基板１０４には、上述した第１電飾ユニット３３の電飾基板６２と同様に、複数の電飾部品１０６（例えば、ＬＥＤ）が間隔をおいて実装されており、これら電飾基板１０４がリード線１０８を介して電気的に接続され、電飾組立体１０２の両端からは接続リード線１１０が径方向外方に延びている。
【００３９】
この第２電飾ユニット３５においても、上述した第１電飾ユニット３３と同様に、電飾組立体１０２は、一対の支持部１１２，１１４及びこれらを接続する接続載置部１１６を有する支持部材１１８を備え、この支持部材１１８の接続載置部１１６に電飾基板１０４が間隔をおいて載置支持され、支持部材１１８の一対の支持部１１２，１１４間にて接続載置部１１６の下面側及び上面側が合成樹脂によるモールド層Ｍ１により覆われ、このようにモールド層Ｍ１で覆うことにより、第２電飾ユニット３５においても第１電飾ユニット３３と同様に作用効果を達成することができる。尚、この第２電飾ユニット３５は、上述した第１電飾ユニット３３と同様にして樹脂モールドすることができ、その樹脂モールド方法の説明については省略する。
【００４０】
この実施形態では、第２電飾ユニット３５には、周方向に間隔をおいて複数（この形態では、３つ）の係合部材１２０が設けられている。各係合部材１２０は径方向外方に延び、幾分弾性変形可能に構成されている。各係合部材１２０の先端部には、背面側に延びて径方向内方に突出する係合爪部１２２が設けられている。
【００４１】
この第２電飾ユニット３５は、遊技機２の遊技盤６（図１参照）の外周部に装着される。即ち、係合部材１２０を背面側にして第２電飾ユニット３５を前面側から後方に押圧すると、これら係合部材１２０が弾性変形して係合爪部１２２が径方向外方に幾分拡がった後元に戻って遊技盤６の外周部に係合し、このように後方に押圧するという簡単な作業でもって第２電飾ユニット３５を遊技盤６に容易に取り付けることができる。
【００４２】
この第２電飾ユニット３５の基本的構成は上述した第１電飾ユニット３３と実質上同一であり、それ故に、上述した第１電飾ユニット３３と同様にして製作することができ、第２電飾ユニット３５における電飾基板１０４、電飾部品１０６及びリード線１０８を支持部材１１８と一体的になるように樹脂モールドすることができる。尚、第２電飾ユニット３５の係合部材１２０については、樹脂モールドする際に同時に一体的に形成するようにするのが望ましい。
【００４３】
上述した実施形態では、表示装置３２の外周側のほぼ全周を覆うように第２電飾ユニット３５を設けているが、この第２電飾ユニット３５は適宜の形状でよく、例えば、表示装置３２の上部又は下部に対応した形状等でもよい。
【００４４】
以上、本発明に従う遊技機の一実施形態について説明したが、本発明はかかる実施形態に限定されず、本発明の範囲を逸脱することなく種々の変形乃至修正が可能である。
【符号の説明】
【００４５】
２  遊技機
４  遊技機枠体
６  遊技盤
３２  表示装置
３３  第１電飾ユニット装置（表示装置用電飾ユニット）
３５  第３２電飾ユニット（遊技盤用電飾ユニット）
５４  第１ユニット
５６  第２ユニット
６２，１０４  電飾基板
６４，１０６  電飾部品
７０，１１８  支持部材
７６，１１６  接続載置部
８２  案内凹状
８４  取付案内凸状
８８，１０２  電飾組立体
１２０  係合部材
Ｍ，Ｍ１  モールド層
【図１】
2014124313.tif 000003
【図２】
2014124313.tif 000004
【図３】
2014124313.tif 000005
【図４】
2014124313.tif 000006
【図５】
2014124313.tif 000007
【図６】
2014124313.tif 000008
【図７】
2014124313.tif 000009
【図８】
2014124313.tif 000010